(57)【要約】【課題】任意のタイミングで自動的に正確なタッチパネルのキャリブレーション処理を行う。【解決手段】携帯電話機１００は、物体が当接する位置に応じた操作入力を受け付けるタッチパネル１０９を備えた表示側筐体１０６と、ヒンジ構造１５２を介して表示側筐体１０６に可動連結され、タッチパネル１０９と対向する対向部を備えた操作側筐体１５０とを備える。携帯電話機１００は、操作側筐体１５０の対向部に設けられ、対向部がタッチパネル１０９に対向した状態でタッチパネル１０９に当接する突起１５６を備える。携帯電話機１００は、突起１５６が当接するタッチパネル１０９の位置に応じた入力信号を検出し、検出された入力信号に基づいて、タッチパネル１０９の入力信号の較正を実行する。【選択図】図１
2012203887.tif 000002
【特許請求の範囲】
【請求項１】
物体が当接する位置に応じた操作入力を受け付けるタッチパネルを備えた第１の筐体と、
前記第１の筐体に可動連結され、前記タッチパネルと対向する対向部を備えた第２の筐体と、
前記対向部に設けられ、前記対向部が前記タッチパネルに対向した状態で前記タッチパネルに当接する突起と、
前記突起が当接する前記タッチパネルの位置に応じた入力信号を検出する入力検出部と、
前記入力検出部によって検出された入力信号に基づいて、前記タッチパネルの入力信号の較正を実行するキャリブレーション制御部と、
を備えることを特徴とする電子装置。
【請求項２】
前記電子装置は、前記第１の筐体と前記第２の筐体とがヒンジ構造を介して相互に回動自由に連結された折りたたみ構造を有し、
前記第１の筐体と前記第２の筐体とが折りたたまれたことを検出する開閉検出部と、
前記開閉検出部によって前記第１の筐体と前記第２の筐体とが折りたたまれたと検出されてからの経過時間を計測するタイマー制御部とをさらに備え、
前記キャリブレーション制御部は、前記タイマー制御部によって計測された経過時間が予め設定された時間を超えたら、前記入力検出部によって検出された入力信号に基づいて、前記タッチパネルの入力信号の較正を実行する
ことを特徴とする請求項１に記載の電子装置。
【請求項３】
前記電子装置は、前記第１の筐体と前記第２の筐体とがヒンジ構造を介して相互に回動自由に連結された折りたたみ構造を有し、
前記第１の筐体と前記第２の筐体とが折りたたまれたことを検出する開閉検出部を
さらに備え、
前記キャリブレーション制御部は、前記開閉検出部によって前記第１の筐体と前記第２の筐体とが折りたたまれたと検出された状態で予め設定された時刻になったら、前記入力検出部によって検出された入力信号に基づいて、前記タッチパネルの入力信号の較正を実行する
ことを特徴とする請求項１に記載の電子装置。
【請求項４】
前記タッチパネルは、対向する２枚の抵抗膜を備える抵抗感圧式タッチパネルであり、
前記入力検出部は、前記物体の当接圧力によって前記２枚の抵抗膜が接触した状態で、前記２枚の抵抗膜に順次電圧を印加することにより前記２枚の抵抗膜それぞれの接触点における電圧値を検出し、検出された電圧値に応じて前記物体の当接位置座標を検出し、
前記キャリブレーション制御部は、前記入力検出部によって検出された当接位置座標と、前記突起の当接位置に応じて予め設定された基準位置座標とに基づいて、前記タッチパネルの入力信号の較正を実行する
ことを特徴とする請求項１に記載の電子装置。
【請求項５】
物体が当接する位置に応じた操作入力を受け付けるタッチパネルを備えた第１の筐体と、前記第１の筐体に可動連結され、前記タッチパネルと対向する対向部を備えた第２の筐体と、前記対向部に設けられ、前記対向部が前記タッチパネルに対向した状態で前記タッチパネルに当接する突起とを備えた電子装置に、
前記突起が当接する前記タッチパネルの位置に応じた入力信号を検出し、
前記検出された入力信号に基づいて、前記タッチパネルの入力信号の較正を実行する
処理を実行させることを特徴とするキャリブレーション制御プログラム。
【発明の詳細な説明】
【技術分野】
【０００１】
本発明は、電子装置及びキャリブレーション制御プログラムに関する。
【背景技術】
【０００２】
従来、携帯電話機などの電子装置は、表示画面上を例えばユーザの指などで押圧することによって各種の操作を行うことができるタッチパネルを備えるものが知られている。このようなタッチパネルには、抵抗感圧方式、静電容量方式、電磁誘導方式、赤外線方式など様々な方式が用いられている。
【０００３】
このようなタッチパネルでは、部品の経年劣化や熱による劣化などの影響により、タッチパネルの押圧された位置の検出精度が狂い、実際に押圧された位置とは異なる箇所が押圧されたと誤認識されるケースがある。
【０００４】
下記先行技術文献には、利用者に意図されない座標データが入力された場合に、入力が想定されている一番近い座標が入力されたものとしてキャリブレーションを行う技術が開示されている。
【先行技術文献】
【特許文献】
【０００５】
【特許文献１】特開２００１−６７１８６号公報
【発明の概要】
【発明が解決しようとする課題】
【０００６】
上記先行技術文献に開示されている技術は、利用者が意図している座標を想定に基づいて決定しているため、必ずしも正確なキャリブレーションが実行できるとは限らなかった。また、利用者による操作が行われないとキャリブレーションが実行されないため、電子装置主導の任意のタイミングでのキャリブレーション実行は困難であった。
【０００７】
開示の技術は、上記に鑑みてなされたものであって、任意のタイミングで自動的に正確なタッチパネルのキャリブレーション処理を行うことができる電子装置及びキャリブレーション制御プログラムを実現することを目的とする。
【課題を解決するための手段】
【０００８】
本願の開示する電子装置は、一つの態様において、物体が当接する位置に応じた操作入力を受け付けるタッチパネルを備えた第１の筐体を供える。また、電子装置は、前記第１の筐体に可動連結され、前記タッチパネルと対向する対向部を備えた第２の筐体を備える。また、電子装置は、前記対向部に設けられ、前記対向部が前記タッチパネルに対向した状態で前記タッチパネルに当接する突起を備える。また、電子装置は、前記突起が当接する前記タッチパネルの位置に応じた入力信号を検出する入力検出部を備える。また、電子装置は、前記入力検出部によって検出された入力信号に基づいて、前記タッチパネルの入力信号の較正を実行するキャリブレーション制御部を備える。
【発明の効果】
【０００９】
本願の開示する電子装置の一つの態様によれば、任意のタイミングで自動的に正確なタッチパネルのキャリブレーション処理を行うことができる。
【図面の簡単な説明】
【００１０】
【図１】図１は、実施形態の携帯電話機の外観を示す図である。
【図２】図２は、実施形態の携帯電話機の外観を示す図である。
【図３】図３は、実施形態の携帯電話機のハードウェア構成を示す図である。
【図４】図４は、実施形態の携帯電話機の機能ブロックを示す図である。
【図５】図５は、入力検出部によってタッチパネルの打点位置を検出する処理の概要を示す図である。
【図６】図６は、キャリブレーション処理のフローチャートである。
【発明を実施するための形態】
【００１１】
以下に、本願の開示する電子装置及びキャリブレーション制御プログラムの実施形態を図面に基づいて詳細に説明する。なお、この実施形態により開示技術が限定されるものではない。例えば、以下の実施形態では、電子装置の一例として携帯電話機を一例に挙げて説明するが、これに限らず、タッチパネル機能を備えた電子装置であればよい。また、以下の実施形態では、抵抗感圧式のタッチパネル機能を備えた携帯電話機を一例に挙げて説明するが、これに限らず、例えば静電容量方式、電磁誘導方式、赤外線方式などのタッチパネル機能を備えた電子装置であればよい。また、以下の実施形態では、タッチパネル式の表示部を備えた表示側筐体と操作側筐体とがヒンジ構造によって互いに回転可能に連結されている折りたたみ式の携帯電話機を一例に挙げて説明するが、これには限られない。例えば、操作側筐体が、タッチパネル式の表示部を備えた表示側筐体に可動連結されており、かつ、表示部と対向する対向部を備える電子装置であればよい。
【００１２】
図１，２は、実施形態の携帯電話機の外観を示す図である。図１，２に示すように、携帯電話機１００は、表示側筐体１０６と操作側筐体１５０とを備える。表示側筐体１０６と操作側筐体１５０は、ヒンジ構造１５２を介して互いに回転可能に連結されている。図１は、表示側筐体１０６及び操作側筐体１５０が互いに開いた状態を図示している。また、図２は、表示側筐体１０６及び操作側筐体１５０が互いに閉じた状態を図示している。図１，２に示すように、携帯電話機１００は、表示側筐体１０６と操作側筐体１５０による折りたたみ式の携帯電話機である。
【００１３】
また、図１に示すように、表示側筐体１０６は、表示側筐体１０６と操作側筐体１５０とを閉じた状態で対向する面に、タッチパネル式の表示部１０７を備える。また、操作側筐体１５０は、表示側筐体１０６と操作側筐体１５０とを閉じた状態で表示部１０７に対向する対向面１５１を備える。また、操作側筐体１５０は、対向面１５１に、各種操作を行うための複数のキー１５４と、４つの突起１５６ａ〜１５６ｄとを備える。突起１５６ａ〜１５６ｄはそれぞれ、表示側筐体１０６を折りたたんだ状態で、表示部１０７の四隅に当接する位置に設けられる。
【００１４】
図３は、実施形態の携帯電話機のハードウェア構成を示す図である。図３に示すように、本実施形態の携帯電話機１００は、アンテナ１０２、無線通信部１０４、表示部１０７、マイク１０８、スピーカ１１０、及び音声入出力部１１２を備える。また、携帯電話機１００は、メモリ１３０、SD(Secure  Digital)カード挿入スロット１３５、およびプロセッサ１４０を備える。SDカード挿入スロット１３５には、SDカード１３６が挿入される。
【００１５】
無線通信部１０４は、アンテナ１０２を介して音声や文字などの各種データの無線通信を行う。また、表示部１０７には、文字や画像などの各種情報を表示するとともに、ユーザの各種操作の入力を受け付けるタッチパネル１０９が併設されている。
【００１６】
また、音声入出力部１１２は、マイク１０８を介して音声を入力するとともにスピーカ１１０を介して音声を出力する入出力インターフェースである。
【００１７】
メモリ１３０は、携帯電話機１００の各種機能を実行するためのデータを格納するＲＯＭ(Read  Only  Memory)１３２と、各種機能を実行するための各種プログラムを格納するＲＡＭ（Random  Access  Memory）１３４とを有する。
【００１８】
プロセッサ１４０は、ＲＯＭ１３２又はＲＡＭ１３４に格納された各種プログラムを実行するＣＰＵ（Central  Processing  Unit）等の演算処理部である。プロセッサ１４０は、ＲＯＭ１３２又はＲＡＭ１３４に格納された各種プログラムを実行することにより、上述した無線通信部１０４、表示部１０７、タッチパネル１０９、及び音声入出力部１１２を制御する。なお、プロセッサ１４０で実行されるプログラムは、ＲＯＭ１３２又はＲＡＭ１３４に格納されるだけではなく、ＣＤ(Compact  Disc)−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、ネットワークを介して接続される携帯電話機１００からの要求に応じてサービスを要求元の携帯電話機１００に提供することもできる。
【００１９】
図４は、実施形態の携帯電話機の機能ブロックを示す図である。図４に示すように、携帯電話機１００は、プロセッサ１４０がＲＯＭ１３２又はＲＡＭ１３４から各種プログラムを読み出して実行することによって実現される機能ブロックとして、開閉検出部１６１、タイマー制御部１６２及び入力検出部１６４を備える。また、携帯電話機１００は、プロセッサ１４０がＲＯＭ１３２又はＲＡＭ１３４から各種プログラムを読み出して実行することによって実現される機能ブロックとして、キャリブレーション制御部１６６及び補正値記憶部１６８を備える。
【００２０】
開閉検出部１６１は、表示側筐体１０６と操作側筐体１５０とが互いに折りたたまれたことを検出する。開閉検出部１６１は、例えば、表示側筐体１０６に設けられた磁石からの磁束密度を、操作側筐体１５０に設けられたホールＩＣ（Integrated Circuit）で検出し、検出した磁束密度の大きさに基づいて表示側筐体１０６と操作側筐体１５０との開閉状態を検出する。開閉検出部１６１は、例えば、ホールＩＣで検出された磁束密度が予め設定された閾値より大きくなったら、表示側筐体１０６と操作側筐体１５０とが互いに折りたたまれたことを検出する。
【００２１】
タイマー制御部１６２は、開閉検出部１６１によって表示側筐体１０６と操作側筐体１５０とが互いに折りたたまれてからの経過時間を計測する。
【００２２】
入力検出部１６４は、タッチパネル１０９に物体（例えばユーザの指や突起１５６ａ〜１５６ｄ）が当接したら、物体が当接した位置に応じた入力信号を検出する。入力検出部１６４は、例えば、物体が当接したタッチパネル１０９の位置に応じて２つの電圧値を検出する。また、入力検出部１６４は、例えば、検出された２つの電圧値に基づいて、タッチパネル１０９上の物体が当接した２次元の位置座標を求める。入力検出部１６４は、例えば、予め２つの電圧値に対応する２次元の位置座標が格納されたテーブルを用いるか、又は検出された２つの電圧値に応じて２次元の位置座標が算出される座標算出式を用いることにより、タッチパネル１０９上の物体が当接した位置座標を求める。入力検出部１６４は、タッチパネル１０９に突起１５６ａ〜１５６ｄが当接したら、突起１５６ａ〜１５６ｄごとに、タッチパネル１０９上の突起１５６ａ〜１５６ｄが当接した位置座標を求める。
【００２３】
図５は、入力検出部によってタッチパネルの打点位置を検出する処理の概要を示す図である。図５に示すように、タッチパネル１０９は、対向する２枚の抵抗膜２００，３００を備える。また、抵抗膜２００は、対向する２辺にそれぞれ正電極２０２及び負電極２０４が設けられる。また、抵抗膜３００は、正電極２０２及び負電極２０４を結ぶ方向に直交する方向の対向する２辺にそれぞれ正電極３０２及び負電極３０４が設けられる。
【００２４】
正電極２０２は端子２０６に接続され、正電極３０２は端子３０６に接続される。負電極２０４は端子２０８に接続され負電極３０４は端子３０８に接続される。一方電源４００は、正電極側が端子４０２に接続され負電極側が端子４０４に接続される。端子４０２に設けられたスイッチ４０６は、端子２０６と端子３０６のいずれか一方に接続可能に設けられる。一方、端子４０４に設けられたスイッチ４０８は、端子２０８と端子３０８のいずれか一方に接続可能に設けられる。
【００２５】
入力検出部１６４は、スイッチ４０６を端子２０６に接続する場合には、スイッチ４０８を端子２０８に接続する。一方、入力検出部１６４は、スイッチ４０６を端子３０６に接続する場合には、スイッチ４０８を端子３０８に接続する。つまり、入力検出部１６４は、抵抗膜２００に電圧を印加している際には、抵抗膜３００には電圧を印加せず、抵抗膜３００に電圧を印加している際には、抵抗膜２００には電圧を印加しない。
【００２６】
仮に、抵抗膜２００の押圧点２１０が物体によって押圧されたとする。すると、抵抗膜２００が撓んで抵抗膜３００に接触する。押圧点２１０と接触する抵抗膜３００上の点を押圧点３１０とする。入力検出部１６４は、抵抗膜２００と抵抗膜３００とが接触した状態で、スイッチ４０６を端子２０６に接続し、スイッチ４０８を端子２０８に接続することにより、抵抗膜２００に電圧を印加する。すると抵抗膜２００の正電極２０２から負電極２０４へ電位勾配が発生し、例えばライン２１２には同電位の電圧が印加され、押圧点２１０の電圧が押圧点３１０に現れる。この状態で、入力検出部１６４は、例えば端子３０８の電位を測定することにより、押圧点３１０の電位を求める。
【００２７】
次に、入力検出部１６４は、抵抗膜２００と抵抗膜３００とが接触した状態のままでで、スイッチ４０６及びスイッチ４０８を切り替える。つまり、入力検出部１６４は、スイッチ４０６を端子３０６に接続しスイッチ４０８を端子３０８に接続することにより、抵抗膜３００に電圧を印加する。すると抵抗膜３００の正電極３０２から負電極３０４へ電位勾配が発生し、例えばライン３１２には同電位の電圧が印加され、押圧点３１０の電圧が押圧点２１０に現れる。この状態で、入力検出部１６４は、例えば端子２０８の電位を測定することにより、押圧点２１０の電位を求める。
【００２８】
そして、入力検出部１６４は、抵抗膜２００に電圧を印加した状態で求められた押圧点３１０の電位と、抵抗膜３００に電圧を印加した状態で求められた押圧点２１０の電位に基づいて、タッチパネル１０９における物体の当接する位置座標を検出する。
【００２９】
図４の説明に戻って、キャリブレーション制御部１６６は、入力検出部１６４によって検出された入力信号に基づいて、タッチパネル１０９の入力信号の較正を実行する。例えば、キャリブレーション制御部１６６は、タイマー制御部１６２によって計測された経過時間が予め設定された時間を越えたら、入力検出部１６４によって検出された入力信号に基づいて、タッチパネル１０９の入力信号の較正（キャリブレーション）を実行する。なお、タイマー制御部１６２によって計測された経過時間の閾値となる設定時間は、初期値に固定してもよいし、ユーザの操作によって任意の値に設定することもできる。
【００３０】
また、例えば、キャリブレーション制御部１６６は、開閉検出部１６１によって表示側筐体１０６と操作側筐体１５０とが折りたたまれたと検出された状態で予め設定された時刻になったら、入力検出部１６４によって検出された入力信号に基づいて、タッチパネル１０９の入力信号の較正（キャリブレーション）を実行する。なお、キャリブレーションを実行する時刻は、ユーザの操作によって任意に設定することができる。
【００３１】
また、キャリブレーション制御部１６６は、入力検出部１６４によって検出された当接位置座標と、突起１５６ａ〜突起１５６ｄの当接位置に応じて予め設定された基準位置座標とに基づいて、タッチパネル１０９の入力信号の較正を実行する。例えば、キャリブレーション制御部１６６は、突起１５６ａ〜突起１５６ｄごとに、入力検出部１６４によって検出された２次元の当接位置座標と、予め設定された２次元の基準位置座標との各次元の差分を求め、この差分を補正値として求める。補正値は、例えばタッチパネル１０９の表示面上の直交２軸をｘ軸，ｙ軸とすると、（ｘ軸方向：−２，ｙ軸方向：−３）などのように求められる。キャリブレーション制御部１６６は、突起１５６ａ〜突起１５６ｄごとに求められた補正値を、補正値記憶部１６８に格納する。
【００３２】
なお、本実施形態では、４つの突起１５６ａ〜突起１５６ｄを、矩形のタッチパネル１０９の４隅に当接するように設ける例を示したが、これには限られない。例えば、突起１５６ａと１５６ｄの組み合わせ又は突起１５６ｂと１５６ｃの組み合わせのように、矩形のタッチパネル１０９の対角線上の２隅に当接するように２つの突起を設けることもできる。
【００３３】
補正値記憶部１６８は、キャリブレーション制御部１６６によって求められた座標の補正値が格納される記憶部である。なお、補正値記憶部１６８は、例えばメモリ１３０の内部に設けられるデータの記憶部である。
【００３４】
なお、入力検出部１６４は、キャリブレーション処理を実行する際には、実際に検出された物体の当接位置座標をキャリブレーション制御部１６６に出力する。一方、入力検出部１６４は、キャリブレーション処理の実行時以外は、補正値記憶部１６８に補正値が格納されている場合には、実際に検出された物体の当接位置座標を、補正値記憶部１６８に格納された補正値によって補正する。入力検出部１６４は、例えば、突起１５６ａ〜突起１５６ｄごとに補正値が補正値記憶部１６８に格納されている場合には、いずれかの補正値を選択して、実際に検出された物体の当接位置座標の補正用に用いることができる。例えば、入力検出部１６４は、突起１５６ａ〜突起１５６ｄに対応する基準位置座標の中から、実際に検出された物体の当接位置座標と最も距離が近い基準位置座標を選択する。そして、入力検出部１６４は、選択した基準位置座標に対応する突起の補正値を、実際に検出された物体の当接位置座標の補正用に用いることができる。
【００３５】
次に、キャリブレーション処理の流れを説明する。図６は、キャリブレーション処理のフローチャートである。図６に示すように、まず、開閉検出部１６１は、表示側筐体１０６と操作側筐体１５０との開閉が検出されたか否かを判定する（ステップＳ１０１）。開閉検出部１６１は、表示側筐体１０６と操作側筐体１５０との開閉が検出されるまで、ステップＳ１０１を繰り返す。
【００３６】
開閉検出部１６１は、表示側筐体１０６と操作側筐体１５０との開閉が検出されたと判定されたら（ステップＳ１０１でＹｅｓ）、表示側筐体１０６と操作側筐体１５０とが折りたたまれたか否かを判定する（ステップＳ１０２）。
【００３７】
タイマー制御部１６２は、表示側筐体１０６と操作側筐体１５０とが折りたたまれたと判定されたら（ステップＳ１０２でＹｅｓ）、タイマーを発行する（ステップＳ１０３）。続いて、キャリブレーション制御部１６６は、タイマー制御部１６２によってタイマーが発行されてから予め設定された時間が経過してタイマーが満了したか、又は現在時刻が予め設定された指定時刻であるか否かを判定する（ステップＳ１０４）。
【００３８】
キャリブレーション制御部１６６は、タイマー制御部１６２によってタイマーが発行されてから予め設定された時間が経過してタイマーが満了したか、又は現在時刻が予め設定された指定時刻であると判定されたら（ステップＳ１０４でＹｅｓ）、キャリブレーション処理を開始する。キャリブレーション制御部１６６は、タイマー制御部１６２によってタイマーが発行されてから予め設定された時間が経過してタイマーが満了したか、又は現在時刻が予め設定された指定時刻であると判定されるまで、ステップＳ１０４の判定を繰り返す（ステップＳ１０４でＮｏ）。
【００３９】
キャリブレーション制御部１６６は、タッチパネル１０９を有効にする（ステップＳ１０６）。続いて、入力検出部１６４は、突起１５６ａ〜１５６ｄごとに、タッチパネル１０９の突起１５６の打点位置に応じて２次元の位置座標を検出する（ステップＳ１０７）。キャリブレーション制御部１６６は、入力検出部１６４によって検出された位置座標と、突起１５６ａ〜１５６ｄの当接位置に応じて予め設定された基準位置座標とに基づいて、位置座標の補正値を算出する（ステップＳ１０８）。キャリブレーション制御部１６６は、算出された補正値を、補正値記憶部１６８へ保存する（ステップＳ１０９）。キャリブレーション制御部１６６は、タッチパネル１０９を無効にして（ステップＳ１１０）、処理を終了する。
【００４０】
一方、キャリブレーション制御部１６６は、表示側筐体１０６と操作側筐体１５０とが折りたたまれていないと判定されたら（ステップＳ１０２でＮｏ）、Ｓ１０１に遷移し、次の開閉検出に向けて待機する。
【００４１】
以上、本実施形態の携帯電話機１００は、任意のタイミングで自動的に正確なタッチパネルのキャリブレーション処理を実行することができる。すなわち、本実施形態の携帯電話機１００は、タッチパネル１０９に対向する対向部に、タッチパネル１０９に当接する突起を設けることにより、ユーザが指定位置を押圧することなく、任意のタイミングで自動的に正確なタッチパネル１０９のキャリブレーション処理を実行することができる。
【００４２】
また、本実施形態のような折りたたみ形状の携帯電話機１００は、携帯電話機１００を利用しない場合には折りたたんで放置するケースが多い。そこで、本実施形態の携帯電話機１００は、表示側筐体１０６と操作側筐体１５０とが折りたたまれたことが検出されてから、予め設定された時間が経過したら、キャリブレーション処理を実行する。よって、本実施形態の携帯電話機１００によれば、携帯電話機１００を使用していないと推測される時間を利用してタッチパネル１０９のキャリブレーションを実行することができる。
【００４３】
また、本実施形態の携帯電話機１００は、表示側筐体１０６と操作側筐体１５０とが折りたたまれた状態で予め設定された時刻になったら、タッチパネル１０９のキャリブレーションを実行する。よって、本実施形態の携帯電話機１００によれば、例えば就寝中の時間など携帯電話機１００を使用していない時間を利用してタッチパネル１０９のキャリブレーションを実行することができる。
【００４４】
なお、本実施形態は、主に携帯電話機及びキャリブレーション制御方法を中心に説明したが、これに限らず、あらかじめ用意されたキャリブレーション制御プログラムをコンピュータで実行することによって、上述の実施形態と同様の機能を実現することができる。すなわち、キャリブレーション制御制御プログラムが処理を実行させる電子装置は、物体が当接する位置に応じた操作入力を受け付けるタッチパネルを備えた第１の筐体と、前記第１の筐体に可動連結され、前記タッチパネルと対向する対向部を備えた第２の筐体とを備える。また、キャリブレーション制御制御プログラムが処理を実行させる電子装置は、前記対向部に設けられ、前記対向部が前記タッチパネルに対向した状態で前記タッチパネルに当接する突起を備える。キャリブレーション制御制御プログラムは、このような電子装置に、前記突起が当接する前記タッチパネルの位置に応じた入力信号を検出する処理を実行させる。また、キャリブレーション制御制御プログラムは、このような電子装置に、前記検出された入力信号に基づいて、前記タッチパネルの入力信号の較正を実行する処理を実行させる。なお、キャリブレーション制御プログラムは、インターネットなどの通信ネットワークを介してコンピュータに配布することができる。また、キャリブレーション制御プログラムは、電子装置に設けられたメモリ、ハードディスク、その他のコンピュータで読み取り可能な記録媒体に記録され、コンピュータによって記録媒体から読み出されることによって実行することもできる。
【符号の説明】
【００４５】
１００  携帯電話機
１０６  表示側筐体
１０７  表示部
１０９  タッチパネル
１５０  操作側筐体
１５１  対向面
１５２  ヒンジ構造
１５６ａ〜１５６ｄ  突起
１６１  開閉検出部
１６２  タイマー制御部
１６４  入力検出部
１６６  キャリブレーション制御部
１６８  補正値記憶部
２００，３００  抵抗膜
【図１】
2012203887.tif 000003
【図２】
2012203887.tif 000004
【図３】
2012203887.tif 000005
【図４】
2012203887.tif 000006
【図５】
2012203887.tif 000007
【図６】
2012203887.tif 000008